(57)【要約】【課題】ドライバが車両を運転している際に、交通事故を回避しつつ、携帯端末の種々の機能を発揮させることができる技術を提供する。【解決手段】車両のセンターコンソール付近に設置された操作平面において、車両内部に位置する携帯端末の表示画面上における所望するコマンドに係る位置と対応する位置をユーザがタッチするだけで、携帯端末の所望するコマンドを実行できるようにしている。これにより、ユーザは、携帯端末を直接操作することなく、遠隔操作の場合であっても、カーソル操作を省略した直感的な操作、及び、簡易な操作ができ、結果、交通事故を回避することができる。【選択図】図９
2011203982.tif 000002
【特許請求の範囲】
【請求項１】
車両内部に位置する携帯端末と、前記携帯端末を遠隔操作する操作装置とを備える操作システムであって、
前記操作装置は、
前記車両のセンターコンソール付近に搭載され、ユーザがタッチ可能な操作平面と、
前記操作平面において、ユーザがタッチした二次元座標上の位置を検知する検知手段と、
前記検知手段が検知した位置を示す位置データを前記携帯端末へ送信する送信手段と、
を備え、
前記携帯端末は、
前記操作装置から前記位置データを受信する受信手段と、
コンテンツを表示する表示手段と、
前記位置データの受信に応答して、前記表示手段の表示画面において当該位置データが示す位置に応じたコマンドを実行する制御手段と、
を備えたことを特徴とする操作システム。
【請求項２】
請求項１に記載の操作システムにおいて、
前記検知手段は、前記操作平面における複数の所定位置にそれぞれ加わる複数の荷重の大きさに基づいて、前記二次元座標上の位置を検知するものであることを特徴とする操作システム。
【請求項３】
請求項１または２に記載の操作システムにおいて、
前記携帯端末の前記制御手段は、前記位置データが示す位置が連続して変化する場合に、所定のコマンドを実行することを特徴とする操作システム。
【請求項４】
請求項３に記載の操作システムにおいて、
前記操作装置は、車両の状態を検知する車両状態検知手段、
をさらに備え、
前記送信手段は、車両が走行状態であることが検知された場合は、示す位置が連続して変化する前記位置データの送信を制限することを特徴とする操作システム。
【請求項５】
請求項２に記載の操作システムにおいて、
前記操作装置の前記検知手段は、前記複数の荷重の大きさに基づいて前記ユーザがタッチした荷重の大きさを示す荷重レベルを導出し、
前記操作装置の前記送信手段は、前記位置データとともに前記荷重レベルを前記携帯端末へ送信し、
前記携帯端末の前記制御手段は、前記荷重レベルに応じたコマンドを実行することを特徴とする操作システム。
【請求項６】
請求項５に記載の操作システムにおいて、
前記操作装置は、車両の状態を検知する車両状態検知手段
をさらに備え、
前記送信手段は、車両が走行状態であることが検知された場合は、前記荷重レベルの送信を制限することを特徴とする操作システム。
【請求項７】
請求項１ないし６のいずれかに記載の操作システムにおいて、
前記車両のセンタークラスターに配置され、前記携帯端末の前記表示手段の表示画面と同一内容を表示する車載表示装置、
をさらに備えることを特徴とする操作システム。
【請求項８】
車両内部に位置する携帯端末を遠隔操作する操作装置であって、
前記車両のセンターコンソール付近に搭載され、ユーザがタッチ可能な操作平面と、
前記操作平面において、ユーザがタッチした二次元座標上の位置を検知する検知手段と、
前記検知手段が検知した位置を示す位置データを前記携帯端末へ送信して、前記携帯端末に対し、その表示画面において前記位置データが示す位置に応じたコマンドを実行させる送信手段と、
を備えたことを特徴とする操作装置。
【請求項９】
車両内部に位置する携帯端末と、前記携帯端末を遠隔操作する操作装置とを備える操作システムにおけるコマンド実行方法であって、
（ａ）前記操作装置が、前記車両のセンターコンソール付近に搭載される操作平面において、ユーザがタッチした二次元座標上の位置を検知する工程と、
（ｂ）前記操作装置が、前記位置を示す位置データを前記携帯端末へ送信する工程と、
（ｃ）前記携帯端末が、前記操作装置から前記位置データを受信する工程と、
（ｄ）前記携帯端末が、前記位置データの受信に応答して、表示画面において当該位置データが示す位置に応じたコマンドを実行する工程と、
を備えたことを特徴とするコマンド実行方法。
【請求項１０】
請求項９に記載のコマンド実行方法において、
更に、前記操作装置が、車両の状態を検知する工程を備え、
前記（ｂ）工程において、前記操作装置が、更に、車両の状態を前記携帯端末へ送信し、
前記（ｃ）工程において、前記携帯端末が、更に、前記車両の状態を受信し、
前記（ｄ）工程において、前記携帯端末が、更に、車両が走行状態であることを受信した場合は、受信した前記位置データが示す位置が連続して変化する場合は、表示画面において当該位置データが示す位置に応じたコマンドの実行を制限することを特徴とするコマンド実行方法。
【発明の詳細な説明】
【技術分野】
【０００１】
本発明は、携帯端末を操作する技術に関する。
【背景技術】
【０００２】
近年、携帯端末には種々の機能が搭載されている。例えば、通話機能の他に、電子メール通信機能、音楽再生機能、及び、ナビゲーション機能などが携帯端末に搭載されている。
【０００３】
こういった携帯端末を、ドライバが車両を運転している際に、片手に持って利用すると運転に対する集中力が薄れて、進行方向に存する物体へ衝突してしまうという事故を引き起こす虞がある。このため、例えば、日本国では、法律において運転の際の携帯端末を直接手で持って操作することが禁止されている。
【０００４】
そこで、事故を回避しつつ携帯端末による通話を可能にするために、ドライバが運転している際は、耳かけ式のイヤホンマイクを使用して、着信時の直接的な操作を不要にしつつ通話を可能にする技術（ハンズフリー技術）が提案されている。このような技術は、例えば、特許文献１に開示されている。
【先行技術文献】
【特許文献】
【０００５】
【特許文献１】特開２００７−１９４８３３号公報
【発明の概要】
【発明が解決しようとする課題】
【０００６】
しかし、ハンズフリー技術は、ドライバが車両を運転している際に、通話機能のうち着信時の通話機能が発揮できるだけであって、前述したその他の機能を発揮させることは困難である。
【０００７】
本発明は、上記課題に鑑みてなされたものであり、ドライバが車両を運転している際に、交通事故を回避しつつ、種々の機能を発揮させることができる技術を提供することを目的とする。
【課題を解決するための手段】
【０００８】
上記課題を解決するため、請求項１の発明は、車両内部に位置する携帯端末と、前記携帯端末を遠隔操作する操作装置とを備える操作システムであって、前記操作装置は、前記車両のセンターコンソール付近に搭載され、ユーザがタッチ可能な操作平面と、前記操作平面において、ユーザがタッチした二次元座標上の位置を検知する検知手段と、前記検知手段が検知した位置を示す位置データを前記携帯端末へ送信する送信手段と、を備え、前記携帯端末は、前記操作装置から前記位置データを受信する受信手段と、コンテンツを表示する表示手段と、前記位置データの受信に応答して、前記表示手段の表示画面において当該位置データが示す位置に応じたコマンドを実行する制御手段と、を備えたことを特徴とする。
【０００９】
また、請求項２の発明は、請求項１に記載の操作システムにおいて、前記検知手段は、前記操作平面における複数の所定位置にそれぞれ加わる複数の荷重の大きさに基づいて、前記二次元座標上の位置を検知するものであることを特徴とする。
【００１０】
また、請求項３の発明は、請求項１または２に記載の操作システムにおいて、前記携帯端末の前記制御手段は、前記位置データが示す位置が連続して変化する場合に、所定のコマンドを実行することを特徴とする。
【００１１】
また、請求項４の発明は、請求項３に記載の操作システムにおいて、前記操作装置は、車両の状態を検知する車両状態検知手段、をさらに備え、前記送信手段は、車両が走行状態であることが検知された場合は、示す位置が連続して変化する前記位置データの送信を制限することを特徴とする。
【００１２】
また、請求項５の発明は、請求項２に記載の操作システムにおいて、前記操作装置の前記検知手段は、前記複数の荷重の大きさに基づいて前記ユーザがタッチした荷重の大きさを示す荷重レベルを導出し、前記操作装置の前記送信手段は、前記位置データとともに前記荷重レベルを前記携帯端末へ送信し、前記携帯端末の前記制御手段は、前記荷重レベルに応じたコマンドを実行することを特徴とする。
【００１３】
また、請求項６の発明は、請求項５に記載の操作システムにおいて、前記操作装置は、車両の状態を検知する車両状態検知手段をさらに備え、前記送信手段は、車両が走行状態であることが検知された場合は、前記荷重レベルの送信を制限することを特徴とする。
【００１４】
また、請求項７の発明は、請求項１ないし６のいずれかに記載の操作システムにおいて、前記車両のセンタークラスターに配置され、前記携帯端末の前記表示手段の表示画面と同一内容を表示する車載表示装置、をさらに備えることを特徴とする。
【００１５】
また、請求項８の発明は、車両内部に位置する携帯端末を遠隔操作する操作装置であって、前記車両のセンターコンソール付近に搭載され、ユーザがタッチ可能な操作平面と、前記操作平面において、ユーザがタッチした二次元座標上の位置を検知する検知手段と、前記検知手段が検知した位置を示す位置データを前記携帯端末へ送信して、前記携帯端末に対し、その表示画面において前記位置データが示す位置に応じたコマンドを実行させる送信手段と、を備えたことを特徴とする。
【００１６】
また、請求項９の発明は、車両内部に位置する携帯端末と、前記携帯端末を遠隔操作する操作装置とを備える操作システムにおけるコマンド実行方法であって、（ａ）前記操作装置が、前記車両のセンターコンソール付近に搭載される操作平面において、ユーザがタッチした二次元座標上の位置を検知する工程と、（ｂ）前記操作装置が、前記位置を示す位置データを前記携帯端末へ送信する工程と、（ｃ）前記携帯端末が、前記操作装置から前記位置データを受信する工程と、（ｄ）前記携帯端末が、前記位置データの受信に応答して、表示画面において当該位置データが示す位置に応じたコマンドを実行する工程と、を備えたことを特徴とする。
【００１７】
また、請求項１０の発明は、請求項９に記載のコマンド実行方法において、更に、前記操作装置が、車両の状態を検知する工程を備え、前記（ｂ）工程において、前記操作装置が、更に、車両の状態を前記携帯端末へ送信し、前記（ｃ）工程において、前記携帯端末が、更に、前記車両の状態を受信し、前記（ｄ）工程において、前記携帯端末が、更に、車両が走行状態であることを受信した場合は、受信した前記位置データが示す位置が連続して変化する場合は、表示画面において当該位置データが示す位置に応じたコマンドの実行を制限することを特徴とする。
【発明の効果】
【００１８】
請求項１ないし９の発明によれば、車両のセンターコンソール付近に設置された操作平面において、車両内部に位置する携帯端末の表示画面上における所望するコマンドに係る位置と対応する位置をユーザがタッチするだけで、携帯端末の所望するコマンドを実行できるようにしている。これにより、ユーザは、携帯端末を直接操作することなく、遠隔操作の場合であっても、カーソル操作を省略した直感的な操作、及び、簡易な操作ができ、結果、交通事故を回避することができる。
【００１９】
また、請求項２の発明によれば、検知手段は、ユーザが操作平面に軽くタッチしただけの操作意思がないタッチを排除し、一定の荷重を伴うタッチを検知した場合にのみユーザ操作を受け付けるため、誤作動することを防ぐ事ができる。
【００２０】
また、請求項３の発明によれば、車両が非走行状態の場合は、スクロール操作を可能にすることによって、ユーザの携帯端末に対する利便性を向上させることができる。
【００２１】
また、請求項４の発明によれば、車両走行状態の場合は、スクロール操作を制限して安全運転を可能にしている。
【００２２】
また、請求項５の発明によれば、車両が非走行状態の場合は、荷重レベルに応じたコマンドの操作を可能にすることによって、ユーザの携帯端末に対する利便性を向上させることができる。
【００２３】
また、請求項６の発明によれば、車両走行状態の場合は、荷重レベルに応じたコマンドの操作を制限して安全運転を可能にしている。
【００２４】
また、請求項７の発明によれば、センタークラスターに携帯端末の表示画面と同一内容を表示する表示装置が設置されるため、表示装置へ向くユーザの視線が、車両進行方向と略同一の方向にさせることができ、ユーザの運転に対する集中力の低下を防ぐことができ、交通事故を防ぐことができる。
【図面の簡単な説明】
【００２５】
【図１】図１は、携帯連携システムを示す図である。
【図２】図２は、携帯端末を示す図である。
【図３】図３は、操作装置を示す図である。
【図４】図４は、制御装置を示す図である。
【図５】図５は、携帯連携システムのシステムブロック図である。
【図６】図６は、操作装置を示す図である。
【図７】図７は、操作装置を説明する図である。
【図８】図８は、操作装置を説明する図である。
【図９】図９は、携帯連携システムを説明する図である。
【図１０】図１０は、携帯連携システムの動作を示すフローチャート図である。
【図１１】図１１は、携帯連携システムを説明する図である。
【図１２】図１２は、携帯連携システムの動作を示すフローチャート図である。
【図１３】図１３は、携帯連携システムを説明する図である。
【図１４】図１４は、携帯連携システムの動作を示すフローチャート図である。
【図１５】図１５は、携帯連携システムを説明する図である。
【図１６】図１６は、携帯連携システムの動作を示すフローチャート図である。
【図１７】図１７は、携帯連携システムを説明する図である。
【図１８】図１８は、携帯連携システムの動作を示すフローチャート図である。
【図１９】図１９は、携帯連携システムを説明する図である。
【図２０】図２０は、携帯端末を示す図である。
【図２１】図２１は、携帯連携システムを示す図である。
【発明を実施するための形態】
【００２６】
以下、添付図面を参照しながら本発明の実施の形態について説明する。
【００２７】
＜代表の実施の形態＞
（携帯連携システム）
代表の実施の形態である携帯連携システムの概要を図１に基づいて説明する。携帯連携システムｓ１は、車両内部において、センターコンソールｃ１の前方（車両進行方向）に備えられた平置台に置かれる携帯端末１、センターコンソールｃ１の後方（車両進行方向と逆）に設置された変速装置の近傍に備えられた操作装置１００、及び、センタークラスターｃ２の中央に備えられた制御装置１０００によって構成されている。センターコンソールｃ１は、車両の運転席と助手席とにはさまれた部位である。また、センタークラスターｃ２は、車両のフロントウィンドウ下にあるダッシュボードの左右略中央の部位である。
【００２８】
また、操作装置１００、及び、制御装置１０００は、車載ネットワークｎ２により電気的に接続されており相互にデータ通信が可能になっている。更に、この車載ネットワークｎ２には、車速検知部１１、及び、変速段検知部１２が電気的に接続されている。
【００２９】
また、操作装置１００、並びに、制御装置１０００と、携帯端末１とは、近距離無線通信を介して、相互にデータ通信が可能になっている。
（携帯端末）
携帯端末１は、スマートフォンと称される携帯端末であって、通話機能、電子メール通信機能、音楽再生機能、及び、ナビゲーション機能など、種々の機能を搭載する、高機能携帯端末である。
【００３０】
この携帯端末１の外形を図２に基づいて説明する。携帯端末１は、第１表示部２、並びに、操作部５を兼ねたタッチパネル、通話機能を発揮する際に通話相手の声を出力する受話部３、及び、通話機能を発揮する際に通話相手へ送信する声を入力する送話部４などによって構成されている。なお、携帯端末１の構成の詳細については後述する。
（操作装置）
操作装置１００は、パッドコントローラーと称される操作装置であって、ユーザが種々の機能のうち所望する機能を選択するための操作装置である。
【００３１】
この操作装置１００を図３に基づいて説明する。操作装置１００は、矩形、つまり、長方形の操作平面となる板状体１０１を備えている。この板状体１０１の裏の４つ角夫々の近傍に第１荷重検知部１０２、第２荷重検知部１０３、第３荷重検知部１０４、及び、第４荷重検知部１０５が設けられている。これら荷重検知部１０２〜１０４で検知される荷重に基づいて、板状体１０１の表を押さえるユーザの指、例えば、指Ｉ、指ＩＩ、及び、指ＩＩＩの位置と押さえる荷重レベルとを導出する。操作装置１００は、導出した位置データと荷重レベルデータとを近距離無線通信を介して携帯端末１へ送信する。なお、操作装置１００の構成の詳細及び仕組みについては後述する。
（制御装置）
制御装置１０００は、備える第２表示部１００３を制御する制御装置であって、主に、近距離無線通信を介して携帯端末１から受信したデータを第２表示部１００３へ表示させる制御装置である。
【００３２】
この制御装置１０００を図４に基づいて説明する。制御装置１０００は、センタークラスターｃ２の中央に、各種情報を表示可能な車載表示装置である第２表示部１００３をユーザが視認可能に備える。なお、制御装置１０００の構成の詳細については後述する。
（操作システム）
操作システムの詳細を図５に基づいて説明する。操作システムｓ２は、携帯端末１、及び、操作装置１００によって構成されている。更に、この操作装置１００に車速検知部１１、及び、変速段検知部１２が車載ネットワークｎ２を介して電気的に接続されている。
（携帯端末システム）
携帯端末１の構成の詳細を図５に基づいて説明する。携帯端末１は、第１制御部６、通信部８、第１表示部２、操作部５、第１近距離無線通信部９、受話部３、及び、送話部４を、データ信号を送受信するバスｎ１へ電気的に接続して備える。
【００３３】
第１制御部６は、マイコンから成り、マイコンが備えるＲＯＭに記憶されたプログラム７を実行して、通信部８などの他の要素と協働して、通話機能、電子メール通信機能、音楽再生機能、及び、ナビゲーション機能など種々の機能を発揮させる。通信部８は、通話機能及び電子メール通信機能などを発揮する際に必要となるデータをサーバと送受信する通信機能を発揮させる。第１表示部２は、コンテンツ、つまり、種々の機能を選択するためのメニュー、ユーザ指示を受けて実行した結果、又は、実行状態を表示する表示機能を発揮させる。操作部５は、ユーザ指示を受け付ける機能を発揮させる。第１近距離無線通信部９は、所定距離内（例えば、１０ｍ以内）に存在する装置（例えば、操作装置１００及び制御装置１０００）とデータを送受信する通信機能を発揮させる。受話部３は、通話機能を発揮する際に通話相手の音声を出力する機能を発揮させる。送話部４は、通話機能を発揮する際に通話相手へ送信する音声データを入力する機能を発揮させる。
（操作装置システム）
操作装置１００の構成の詳細を図５に基づいて説明する。操作装置１００は、第２制御部１０６、第１荷重検知部１０２、第２荷重検知部１０３、第３荷重検知部１０４、第４荷重検知部１０５、第２近距離無線通信部１０８、及び、信号入出力部１０９を、データ信号を送受信するバスｎ４へ電気的に接続して備える。
【００３４】
第２制御部１０６は、マイコンから成り、マイコンが備えるＲＯＭに記憶されたプログラム１０７を実行して、第１荷重検知部１０２などと協働して、２次元の座標軸を把握可能な領域である板状体１０１にかかる荷重の位置データ及び荷重レベルデータを導出する機能などを発揮させる。第１荷重検知部１０２、第２荷重検知部１０３、第３荷重検知部１０４、及び、第４荷重検知部１０５は、夫々にかかる荷重レベルを検知して、検知した荷重レベルデータを接続するバスｎ４を介して第２制御部１０６へ送信する機能を発揮させる。第２近距離無線通信部９は、第２制御部１０６が導出した位置データ及び荷重レベルデータなどを携帯端末１へ送信する機能を発揮させる。信号入出力部１０９は、車載ネットワークｎ２を介して、車速検知部１１並びに変速段検知部１２などから操作装置１００へ入力される信号、及び、操作装置１００から制御装置１０００などへ出力される信号を制御するインターフェース機能を発揮する。
（制御装置システム）
制御装置１０００の構成の詳細を図５に基づいて説明する。制御装置１０００は、第３制御部１００１、第２表示部１００３、第３近距離無線通信部１００４、及び、信号入出力部１００５を、データ信号を送受信するバスｎ３へ電気的に接続して備える。第３制御部１００１は、マイコンから成り、マイコンが備えるＲＯＭに記憶されたプログラム１００２を実行して、第３近距離無線通信部１００４において、携帯端末１から受信したデータに基づいて第２表示部１００３を表示制御する機能などを発揮する。第２表示部１００３は、携帯端末１から受信したデータを表示する機能などを発揮する。信号入出力部１００５は、車載ネットワークｎ２を介して、音出力部１０などから制御装置１０００へ入力される信号、及び、制御装置１０００から音出力部１０などへ出力される信号を制御するインターフェース機能を発揮する。これにより、第２表示部１００３においては、携帯端末１の表示画面と同一内容が表示される。
【００３５】
なお、音出力部１０は、車両内部に設置されているスピーカであって、種々の音を出力する機能を発揮する。車速検知部１１は、車両内部に設置されている車両の速度を検知する車速センサであって、車両の走行状態を検知する機能を発揮する。変速段検知部１２は、車両内部に設置されている変速ギヤ位置を検知するセンサであって、車両の走行状態を検知する機能を発揮する。
（操作装置の仕組み）
操作装置１００の仕組みを図６、図７、及び、図８に基づいて説明する。操作装置１００の第２制御部１０６は、前述したように、各荷重検知部１０２〜１０４が検知した荷重の大きさに基づいて、板状体１０１の表を押さえるユーザの指の位置と指が押さえる荷重の大きさを示す荷重レベルとを導出する。第２制御部１０６は導出した位置のデータを第２近距離無線通信部１０８により携帯端末１へ送信する。
【００３６】
その導出方法を、図６に基づいて操作装置１００の仕組みとともに説明する。操作装置１００は、板状体１０１の裏の４つ角夫々の近傍に備わる第１荷重検知部１０２、第２荷重検知部１０３、第３荷重検知部１０４、並びに、第４荷重検知部１０５と、第２制御部１０６と、第２近距離無線通信部１０８とをバスｎ４により接続して備え、これらを筐体１１０へ組み込んで構成している。第２制御部１０６は、各荷重検知部が板状体１０１の４つ角夫々にかかる荷重の大きさを荷重検知部１０２〜１０４から、バスｎ４を介して受信し、各荷重の大きさに基づく荷重割合によって板状体１０１のどの位置にどの程度の荷重がかかったのかを導出する。
【００３７】
つまり、第２制御部１０６は、板状体１０１におけるどの位置に荷重がかかったのかを把握するために、図８に示す２次元のｘｙ座標軸で位置を規定するためのマトリクスＭを示すデータをＲＯＭに記憶している。ＲＯＭは、そのマトリクスＭの各位置に、横軸（ｘ軸）と縦軸（ｙ軸）に沿ったアドレス（例えば、ｘ軸：１〜１１、ｙ軸：１〜５）を関連付けて記憶している。すなわち、板状体１０１における位置は、このマトリクスＭが示す二次元座標上の位置によって表現される。
【００３８】
更に、第２制御部１０６は、板状体１０１のある位置にユーザがタッチした場合に、各荷重検知部１０２〜１０４がそれぞれ検知する荷重の荷重割合を、板状体１０１の各位置に対応するマトリクスＭのアドレス（ｘ：ｙ）に関連付けて予めＲＯＭに記憶している。例えば、図７に示す位置ｐ１に荷重をかけた場合には、各荷重検知部１０２〜１０４がそれぞれ検知する荷重の荷重割合は、第１荷重検知部＝３％、第２荷重検知部＝１％、第３荷重検知部＝９５％、第４荷重検知部＝１％であると記憶されている。他の全てのアドレスについても同様に予め記憶される。
【００３９】
このようにすると、第２制御部１０６は、板状体１０１をユーザが指で押した際に、導出した各荷重検知部１０２〜１０４の荷重割合をキーにして、予めＲＯＭに記憶しておいた各荷重検知部１０２〜１０４の荷重割合を検索し、検索された各荷重検知部１０２〜１０４の荷重割合に関連付けて記憶されているアドレスを抽出することができる。従って、第２制御部１０６は、そのアドレスと対応する板状体１０１の位置をユーザが指で押したと判断することができ、かつ、そのユーザが指で押した板状体１０１の位置と対応する、携帯端末１の第１表示部２に表示されている位置のアイコンや項目を、ユーザが選択したと判断することができる。
【００４０】
なお、制御装置１０００は、各荷重の大きさうち、最大となる荷重が一定レベル以下の場合には、ユーザの操作意思が無かったものとみなして、前記導出を無効にして、ユーザなど板状体１０１に軽くタッチしただけの操作意思が無いタッチを排除し、一定以上の大きさの荷重を検知した場合のみユーザ操作を受けつけて誤作動を防止している。
【００４１】
このような構成を持つ携帯連携システムｓ１には次のような意義がある。つまり、車両を運転するユーザが、運転中に携帯端末１を利用すると、片手に携帯端末１を握って操作ボタンを確認しながら操作すること、携帯端末１を操作すると視線が車両進行方向先から手元に移ってしまうこと、などからユーザの運転に対する集中力を低下させ、最悪、交通事故を引き起こしてしまう虞があるため、携帯連携システムｓ１は、携帯端末１を遠隔操作可能なコントロールパッドである操作装置１００によってユーザの携帯端末１の操作を容易にするとともに、携帯端末１の表示をセンタークラスターｃ２に備わる第２表示部１００３へ表示させることによって、ユーザの視線が車両進行方向と略同一の方向にさせることで、ユーザの運転に対する集中力の低下を防ぐことができ、交通事故を防ぐことができる。
【００４２】
例えば、操作装置１００のような操作手段ではなく、ジョイスティックや操作ボタンをセンターコンソールｃ１へ配置した場合にもユーザの運転に対する集中力の低下を防ぐことができるが、携帯端末１に表示される画面は、ユーザが選択したアイコンや項目にカーソルが動く、又は、ユーザが選択したアイコンや項目が強調表示するなどするため、ユーザはジョイスティックや操作ボタンを操作して、所望するアイコンや項目を選択操作しなければならず、その選択操作に集中を要してしまい、ユーザの運転に対する集中力が低下する虞がある。しかし、操作装置１００のような操作手段においては、ユーザが、操作装置１００が備える板状体１０１において、第２表示部１００３に表示されるアイコンや項目と対応する位置を指で押すだけで、つまり、直接的に操作するだけで足りるため、選択操作に集中する必要はなく、ユーザの運転に対する集中力が低下する虞は無い。
【００４３】
つまり、携帯端末１をユーザの運転に対する集中力を低下させることなく遠隔操作させるシステムとして、携帯連携システムｓ１は最適なシステムであると言える。
【００４４】
更に、携帯連携システムｓ１において、その効果を増幅させる制御について説明する。
（メニューモード）
携帯連携システムｓ１が実行する制御を図９〜図２０に基づいて説明する。
【００４５】
はじめに、携帯連携システムｓ１は、携帯端末１、操作装置１００、及び、制御装置１０００、において相互に通信を確立させる。
【００４６】
上記通信が確立すると、携帯端末１の第１制御部６は、第１表示部２に操作装置１００が操作可能な操作方法を表示する。また、第１制御部６は、第１近距離無線通信部９を介して、制御装置１０００へ、制御装置１０００が備える第２表示部１００３へ、図９に示すような前記メニュー画像を送信する。その画像とは、通常、携帯端末１の第１表示部２において表示する、前記メニュー画像のデータである。更に、第１制御部６は、第１近距離無線通信部９を介して、前記メニュー画像において、アイコンや項目が配置される位置データを操作装置１００へ送信する。
【００４７】
操作装置１００の第２制御部１０６は、第２近距離無線通信部１０８を介して、受信したアイコンや項目が配置される位置データに基づいて、板状体１０１にかかる荷重位置のうち、アイコンや項目が配置される位置データと合致するもののみ、受け付けてその合致した位置データを、第２近距離無線通信部１０８を介して、携帯端末１へ送信する。
【００４８】
携帯端末１の第１制御部６は、操作装置１００から第１近距離無線通信部９を介して、受信した位置データが示す位置のコマンド、つまり、アイコンや項目が示す機能を実行する。また、第１制御部６は、その実行状況や実行結果を示す画像を、第１近距離無線通信部９を介して、制御装置１０００へ送信する。
【００４９】
更に、第１制御部６は、図９に示す、上下、左右の所定のポイントのみを操作可能にしていることをユーザへ教示する操作ガイド画像ＳＴ０を第１表示部２へ表示する。つまり、このような操作ガイド画像ＳＴ０が携帯端末１において表示されるため、ユーザは、操作装置１００において、アップ・ダウン側における所定のポイント、左右サイドにおける所定のポイントのみ操作可能であることがわかる。
【００５０】
制御装置１０００の第３制御部１００１は、第３近距離無線通信部１００４を介して、受信した実行状況や実行結果を示す画像を、第２表示部１００３へ表示する。
【００５１】
次に、携帯連携システムｓ１において、ユーザがナビ機能を開始させるアイコンを選択操作した場合の処理を以降において説明する。
（ナビ機能）
メニュー画像において、ナビ機能を開始させるアイコンが選択操作されると、操作装置１００の第２制御部１０６は、図１０のフローチャートが示す制御の実行を開始するとともに、ナビ機能を発揮させる処理が終了するまで、所定の周期でこの制御を繰り返す。
【００５２】
操作装置１００の第２制御部１０６は、図１０のフローチャートのステップＳ１において、車載ネットワークｎ２を介して、車速検知部１１、又は、変速段検知部１２から受信する信号に基づいて、車両が走行状態であるか否かを判断する。車両が走行状態であると判断する場合（ステップＳ１においてＹｅｓの場合）は、ステップＳ２へ移行し、車両が走行状態であると判断しない場合（ステップＳ１においてＮｏの場合）は、ステップＳ４へ移行する。
【００５３】
なお、第２制御部１０６が走行状態であると判断する場合とは、車速検知部１１から受信する信号により、車速が０ｋｍ以上を示す場合である。又は、変速段検知部１２から受信する信号により、変速段がパーキング以外を示す場合である。
【００５４】
ステップＳ２において、操作装置１００の第２制御部１０６は、第２近距離無線通信部１０８を介して、車両が走行状態である旨の信号を携帯端末１へ送信する。次に、ステップＳ３へ移行する。
【００５５】
このとき、携帯端末１の第１制御部６は、第１近距離無線通信部９を介して、車両が走行状態である旨の信号を受信したので、図１１に示すように、第１表示部２において、上下、左右の所定のポイントのみを操作可能にしていることをユーザへ教示する操作ガイド画像ＳＴ１を表示する。つまり、このような操作ガイド画像ＳＴ１が携帯端末１において表示されるため、ユーザは、操作装置１００において、アップ・ダウン側における所定のポイント、左右サイドにおける所定のポイントのみ操作可能であることがわかる。
【００５６】
更に、第１制御部６は、第１近距離無線通信部９を介して、制御装置１０００へ、通常、表示させる画像を送信する。その画像とは、通常、携帯端末１の第１表示部２において表示するナビ画像、つまり、地図、ルート、及び、自車位置マークなどの案内画像である。
【００５７】
制御装置１０００の第３制御部１００１は、第３近距離無線通信部１００４を介して、受信した画像を第２表示部１００３において表示させる。つまり、通常、携帯端末１の第１表示部２において表示する案内画像を第２表示部１００３において表示させる。
【００５８】
ステップＳ３において、操作装置１００の第２制御部１０６は、第１操作モード処理を実行する。
【００５９】
第１操作モード処理とは、第２制御部１０６が、携帯端末１から第２近距離無線通信部１０８を介して、携帯端末１においてユーザ指定によりコマンドが実行される位置データを予め受信しており、第２制御部１０６は、板状体１０１にかかる荷重位置、つまり、ユーザが板状体１０１を押した位置データのうち、予め受信していた位置データと合致する位置データのみを受け付けて、その合致した位置データを、第２近距離無線通信部１０８を介して、携帯端末１へ送信する。更に、第２制御部１０６は、その予め受信した位置データとユーザが板状体１０１を押した位置データとが合致する位置データのうち、連続して変化する位置データの送信を制限するとともに、合致する位置データであって、同一の位置データにおいて連続して荷重レベルが変化した場合にその位置データと荷重レベルデータの送信を制限する。
【００６０】
この場合の、携帯端末１においてユーザ指定により実行されるコマンドとは、案内画像における地図上の所定の位置へ荷重がかかると、つまり、ユーザがその位置を押すと、押された位置に対応する地図上の位置が画面の中央となるように地図表示を変更するコマンドであり、位置データが連続して変化する場合とは、地図画像がスクロール操作される場合である。また、合致する位置データであって、同一の位置データにおいて連続して荷重レベルが変化する場合とは、地図画像の拡大モードの際に、荷重レベルに応じて、ユーザに指で押される位置を中心に地図画像の拡大レベルが増加操作される場合であり、地図画像の縮小モードの際に、荷重レベルに応じて、ユーザに指で押される位置を中心に縮小レベルが増加操作される場合である。
【００６１】
このとき、携帯端末１の第１制御部６は、操作装置１００から第１近距離無線通信部９を介して、受信した位置データが示す位置のコマンド、つまり、その位置を中心とする地図画像を生成する。更に、第１制御部６は、その実行結果、つまり、生成した地図画像を、第１近距離無線通信部９を介して、制御装置１０００へ送信する。
【００６２】
制御装置１０００の第３制御部１００１は、第３近距離無線通信部１００４を介して、受信した地図画像を、第２表示部１００３へ表示する。
【００６３】
ステップＳ４において、操作装置１００の第２制御部１０６は、第２近距離無線通信部１０８を介して、携帯端末１へ車両が走行状態ではない非走行状態である旨を送信する。次に、ステップＳ５へ移行する。
【００６４】
ステップＳ５において、操作装置１００の第２制御部１０６は、第２操作モード処理を実行する。
【００６５】
このとき、携帯端末１の第１制御部６は、第１近距離無線通信部９を介して、車両が走行状態ではない旨の信号を受信したので、図１１に示すように、第１表示部２において、上下、左右における所定のポイント、及び、それらの中間の操作を可能にしていることをユーザへ教示する操作ガイド画像ＳＴ２を表示する。つまり、このような操作ガイド画像ＳＴ２が携帯端末１において表示されるため、図１１に示すように、ユーザは、操作装置１００において、スクロール操作が可能であることがわかる。
【００６６】
第２操作モード処理とは、第２制御部１０６が、携帯端末１から第２近距離無線通信部１０８を介して、案内画像においてユーザ指定によりコマンドが実行される位置データを予め受信しており、第２制御部１０６は、板状体１０１にかかる荷重位置、つまり、ユーザが板状体１０１を押した位置データのうち、予め受信していた位置データと合致する位置データのみを受け付けて、その合致した位置データを、第２近距離無線通信部１０８を介して、携帯端末１へ送信する。更に、第２制御部１０６は、ユーザが板状体１０１を押した位置データのうち連続して変化する位置データの送信を許可するとともに、合致する位置データであって、同一の位置データにおいて連続して荷重レベルが変化した場合にその位置データと荷重レベルデータの送信を許可する
この場合のコマンドとは、前述した通りであり、位置データが連続して変化する場合とは、前述した通りである。また、合致する位置データであって、同一の位置データにおいて連続して荷重レベルが変化する場合とは、前述した通りである。
【００６７】
携帯端末１の第１制御部６は、操作装置１００から第１近距離無線通信部９を介して、受信した位置データが示す位置のコマンド、つまり、その位置を中心とする地図画像を生成する。更に、第１制御部６は、その実行結果、つまり、生成した地図画像を、第１近距離無線通信部９を介して、制御装置１０００へ送信する。
【００６８】
制御装置１０００の第３制御部１００１は、第３近距離無線通信部１００４を介して、受信した地図画像を、第２表示部１００３へ表示する。
【００６９】
つまり、操作装置１００の第２制御部１０６は、車両が走行状態である場合は、案内画像において、連続操作の受付を禁止するとともに、車両が非走行状態である場合は、案内画像において、連続操作の受付を許可するため、ユーザは車両を運転している間は、案内画像において、詳細な操作ができない。結果、運転に対する集中力が低下せず、交通事故を発生させる虞は無くなる。また、ユーザは車両を運転しない間は、案内画像において、詳細な操作ができるため、ユーザの携帯端末に対する利便性を向上させることができる。
【００７０】
次に、携帯連携システムｓ１において、ユーザがメニュー画像における音楽再生機能を開始させるアイコンを選択操作した場合の処理を以降において説明する。
（音楽再生機能）
メニュー画像において、音楽再生機能を開始させるアイコンが選択操作されると、操作装置１００の第２制御部１０６は、図１２のフローチャートが示す制御の実行を開始するとともに、音楽再生機能を発揮させる処理が終了するまで、所定の周期でこの制御を繰り返す。
【００７１】
操作装置１００の第２制御部１０６は、図１２のフローチャートのステップＳ１０において、車載ネットワークｎ２を介して、車速検知部１１、又は、変速段検知部１２から受信する信号に基づいて、車両が走行状態であるか否かを判断する。車両が走行状態であると判断する場合（ステップＳ１０においてＹｅｓの場合）は、ステップＳ１１へ移行し、車両が走行状態であると判断しない場合（ステップＳ１０においてＮｏの場合）は、ステップＳ１３へ移行する。
【００７２】
なお、第２制御部１０６が走行状態であると判断する場合とは、車速検知部１１から受信する信号により、車速が０ｋｍ以上を示す場合である。又は、変速段検知部１２から受信する信号により、変速段がパーキング以外を示す場合である。
【００７３】
ステップＳ１１において、操作装置１００の第２制御部１０６は、第２近距離無線通信部１０８を介して、車両が走行状態である旨の信号を携帯端末１へ送信する。次に、ステップＳ１２へ移行する。
【００７４】
このとき、携帯端末１の第１制御部６は、第１近距離無線通信部９を介して、車両が走行状態である旨の信号を受信したので、図１３に示すように、第１表示部２において、上下、左右における所定のポイントのみを操作可能にしていることをユーザへ教示する操作ガイド画像ＳＴ７を表示する。つまり、このような操作ガイド画像ＳＴ７が携帯端末１において表示されるため、ユーザは、操作装置１００において、アップ・ダウン側における所定のポイント、左右サイドにおける所定のポイントのみ操作可能であることがわかる。
【００７５】
更に、第１制御部６は、音楽関連画像を、第１近距離無線通信部９を介して、制御装置１０００へ送信する。音楽関連画像とは、通常、携帯端末１の第１表示部２において表示する音楽関連画像であって、音楽のメニュー画像や音楽の再生状態を表す画像である。例えば、録音したＣＤアルバムの選択メニュー画像ＳＴ３、ＣＤアルバムを構成するトラックの選択メニュー画像ＳＴ４、曲名とアーティスト名などを表す複数のカードが立体的に表示されるフリック画像ＳＴ５、及び、再生されている音楽の楽曲名や収録されるアルバム名又は歌手名を表示する画像ＳＴ６である。
【００７６】
制御装置１０００の第３制御部１００１は、第３近距離無線通信部１００４を介して、受信した音楽関連画像を第２表示部１００３において表示させる。つまり、通常、携帯端末１の第１表示部２において表示する音楽関連画像を第２表示部１００３において表示させる。
【００７７】
ステップＳ１２において、操作装置１００の第２制御部１０６は、第３操作モード処理を実行する。
【００７８】
第３操作モード処理とは、第２制御部１０６が、携帯端末１から第２近距離無線通信部１０８を介して、音楽関連画像においてユーザ指定によりコマンドが実行される位置データを予め受信しており、第２制御部１０６は、板状体１０１にかかる荷重位置、つまり、ユーザが板状体１０１を押した位置データのうち、予め受信していた位置データと合致する位置データのみを受け付けて、その合致した位置データを、第２近距離無線通信部１０８を介して、携帯端末１へ送信する。更に、第２制御部１０６は、連続して変化する位置データの送信を制限するとともに、合致する位置データであって、同一の位置データにおいて連続して荷重レベルが変化した場合にその位置データと荷重レベルデータの送信を制限する。
【００７９】
この場合のコマンドとは、音楽関連画像における所定の位置へ荷重がかかると、つまり、ユーザがその位置を押すと、押された位置に対応する音楽関連アイコンや項目が示す機能を実行するコマンドであり、位置データが連続して変化する場合とは、音出力、項目がスクロール操作される場合である。また、合致する位置データであって、同一の位置データにおいて連続して荷重レベルが変化する場合とは、音出力を増加させるアイコンの位置において、荷重レベルに応じて音出力レベルが増加操作される場合であり、音出力を減少させるアイコンの位置において、荷重レベルに応じて音出力レベルが減少操作される場合である。
【００８０】
携帯端末１の第１制御部６は、操作装置１００から第１近距離無線通信部９を介して、受信した位置データが示す位置のコマンド、つまり、その位置に対応する音楽関連アイコンや項目を実行した状況や結果を表示する。更に、第１制御部６は、その実行状況や実行結果を示す画像を、第１近距離無線通信部９を介して、制御装置１０００へ送信する。
【００８１】
制御装置１０００の第３制御部１００１は、第３近距離無線通信部１００４を介して、受信した音楽関連画像を、第２表示部１００３へ表示する。
【００８２】
ステップＳ１３において、操作装置１００の第２制御部１０６は、第２近距離無線通信部１０８を介して、携帯端末１へ車両が走行状態ではない非走行状態である旨を送信する。次に、ステップＳ１４へ移行する。
【００８３】
ステップＳ１４において、操作装置１００の第２制御部１０６は、第４操作モード処理を実行する。
【００８４】
このとき、携帯端末１の第１制御部６は、第１近距離無線通信部９を介して、車両が走行状態ではない旨の信号を受信したので、図１３に示すように、第１表示部２において、上下の所定のポイント、及び、上下の中間の操作を可能にしていることをユーザへ教示する操作ガイド画像ＳＴ８、及び、操作ガイド画像ＳＴ９を表示する。つまり、このような操作ガイド画像ＳＴ８、及び、操作ガイド画像ＳＴ９が携帯端末１において表示されるため、図１３に示すように、ユーザは、操作装置１００において、上下のスクロール操作が可能であることがわかる。
【００８５】
第４操作モード処理とは、第２制御部１０６が、携帯端末１から第２近距離無線通信部１０８を介して、音楽関連画像においてユーザ指定によりコマンドが実行される位置データを予め受信しており、第２制御部１０６は、板状体１０１にかかる荷重位置、つまり、ユーザが板状体１０１を押した位置データのうち、予め受信していた位置データと合致する位置データのみを受け付けて、その合致した位置データを、第２近距離無線通信部１０８を介して、携帯端末１へ送信する。更に、第２制御部１０６は、連続して変化する位置データの送信を許可するとともに、合致する位置データであって、同一の位置データにおいて連続して荷重レベルが変化した場合にその位置データと荷重レベルデータの送信を許可する。
【００８６】
この場合のコマンドとは、前述した通りであり、位置データが連続して変化する場合とは、前述した通りである。また、合致する位置データであって、同一の位置データにおいて連続して荷重レベルが変化する場合とは、前述した通りである。
【００８７】
携帯端末１の第１制御部６は、操作装置１００から第１近距離無線通信部９を介して、受信した位置データが示す位置のコマンド、つまり、その位置と対応する音楽関連アイコンや項目が示す機能のコマンドを実行する。更に、第１制御部６は、その実行状況や実行結果を示す音楽関連画像を生成して、第１近距離無線通信部９を介して、制御装置１０００へ送信する。
【００８８】
制御装置１０００の第３制御部１００１は、第３近距離無線通信部１００４を介して、受信した音楽関連画像を、第２表示部１００３へ表示する。
【００８９】
つまり、操作装置１００の第２制御部１０６は、車両が走行状態である場合は、音楽関連画像において、連続操作の受付を禁止するとともに、車両が非走行状態である場合は、音楽関連画像において、連続操作の受付を許可するので、ユーザは車両を運転している間は、音楽関連画像において、詳細な操作ができないため、運転に対する集中力が低下せず、交通事故を発生させる虞は無い。また、ユーザは車両を運転しない間は、音楽関連画像において、詳細な操作ができるため、ユーザの携帯端末に対する利便性を向上させることができる。
【００９０】
次に、携帯連携システムｓ１において、通話機能のうちユーザが電話を取る機能（以降、通話機能Ａと言う）を発揮させる処理を以降において説明する。
（通話機能Ａ）
携帯連携システムｓ１において、ナビ機能や音楽再生機能を発揮している際に、携帯端末１へ着信があると、操作装置１００の第２制御部１０６は、図１４のフローチャートが示す制御の実行を開始するとともに、通話機能Ａを発揮させる処理が終了するまで、所定の周期でこの制御を繰り返す。
【００９１】
操作装置１００の第２制御部１０６は、図１４フローチャートのステップＳ２０において、車載ネットワークｎ２を介して、車速検知部１１、又は、変速段検知部１２から受信する信号に基づいて、車両が走行状態であるか否かを判断する。車両が走行状態であると判断する場合（ステップＳ２０においてＹｅｓの場合）は、ステップＳ２１へ移行し、車両が走行状態であると判断しない場合（ステップＳ２０においてＮｏの場合）は、ステップＳ２３へ移行する。
【００９２】
なお、第２制御部１０６が走行状態であると判断する場合とは、車速検知部１１から受信する信号により、車速が０ｋｍ以上を示す場合である。又は、変速段検知部１２から受信する信号により、変速段がパーキング以外を示す場合である。
【００９３】
ステップＳ２１において、操作装置１００の第２制御部１０６は、第２近距離無線通信部１０８を介して、車両が走行状態である旨の信号を携帯端末１へ送信する。次に、ステップＳ２２へ移行する。
【００９４】
このとき、携帯端末１の第１制御部６は、第１近距離無線通信部９を介して、車両が走行状態である旨の信号を受信したので、図１５に示すように、第１表示部２において、上下、左右の所定のポイントのみを操作可能にしていることをユーザへ教示する操作ガイド画像ＳＴ１３を表示する。つまり、このような操作ガイド画像ＳＴ１３が携帯端末１において表示されるため、ユーザは、操作装置１００において、アップ・ダウン側における所定のポイント、左右サイドにおける所定のポイントのみ操作可能であることがわかる。
【００９５】
なお、第１制御部６は、着信の際に、第１表示部２においてドライバ側に電話を取る操作を受け付けるアイコンを表示し、かつ、助手席側に電話を切る操作を受け付けるアイコンを表示する。通話の際は、ドライバ側に電話を切る操作を受け付けるアイコンを表示し、かつ、助手席側電話を取る操作を受け付けるアイコンを表示する。
【００９６】
更に、第１制御部６は、第１近距離無線通信部９を介して、制御装置１０００へ、通話機能に関連する画像を送信する。その通話機能に関連する画像とは、通常、携帯端末１の第１表示部２において表示する通話機能に関連する画像、つまり、通話相手、相手の電話番号、着信中を表示する画像ＳＴ１０、通話中、通話時間を表示する画像ＳＴ１１、通話終了、通話時間を表示する画像ＳＴ１２などの画像である。
【００９７】
制御装置１０００の第３制御部１００１は、第３近距離無線通信部１００４を介して、受信した通話機能に関連する画像を第２表示部１００３において表示させる。つまり、通常、携帯端末１の第１表示部２において表示する通話機能に関連する画像を第２表示部１００３において表示させる。
【００９８】
ステップＳ２２において、操作装置１００の第２制御部１０６は、第５操作モード処理を実行する。
【００９９】
第５操作モード処理とは、第２制御部１０６が、携帯端末１から第２近距離無線通信部１０８を介して、携帯端末１においてユーザ指定によりコマンドが実行される位置データを予め受信しており、第２制御部１０６は、板状体１０１にかかる荷重位置、つまり、ユーザが板状体１０１を押した位置データのうち、予め受信していた位置データと合致する位置データのみを受け付けて、その合致した位置データを、第２近距離無線通信部１０８を介して、携帯端末１へ送信する。更に、第２制御部１０６は、その予め受信した位置データとユーザが板状体１０１を押した位置データとが合致する位置データのうち、連続して変化する位置データの送信を制限するとともに、合致する位置データであって、同一の位置データにおいて連続して荷重レベルが変化した場合にその位置データと荷重レベルデータの送信を制限する。
【０１００】
この場合の、携帯端末１においてユーザ指定により実行されるコマンドとは、板状体１０１において通話機能に関連する画像に対応する位置へ荷重がかかると、つまり、ユーザがその位置を押すと、押された位置に対応する通話機能に関連する画像のアイコンや項目が示す機能を実行するコマンドであり、位置データが連続して変化する場合とは、音出力、アドレスなどの項目がスクロール操作される場合である。また、合致する位置データであって、同一の位置データにおいて連続して荷重レベルが変化する場合とは、音出力を増加させるアイコンの位置において、荷重レベルに応じて音出力レベルが増加操作される場合であり、音出力を減少させるアイコンの位置において、荷重レベルに応じて音出力レベルが減少操作される場合である。
【０１０１】
このとき、携帯端末１の第１制御部６は、操作装置１００から第１近距離無線通信部９を介して、受信した位置データが示す位置のコマンド、つまり、その位置と対応する通話機能関連のアイコンや項目が示す機能のコマンドを実行する。更に、第１制御部６は、その実行コマンドに関連する画像を生成して、通話機能に関連する画像を、第１近距離無線通信部９を介して、制御装置１０００へ送信する。
【０１０２】
制御装置１０００の第３制御部１００１は、第３近距離無線通信部１００４を介して、受信した通話機能に関連する画像を、第２表示部１００３へ表示する。
【０１０３】
ステップＳ２３において、操作装置１００の第２制御部１０６は、第２近距離無線通信部１０８を介して、携帯端末１へ車両が走行状態ではない非走行状態である旨を送信する。次に、ステップＳ２４へ移行する。
【０１０４】
ステップＳ２４において、操作装置１００の第２制御部１０６は、第６操作モード処理を実行する。
【０１０５】
このとき、携帯端末１の第１制御部６は、第１近距離無線通信部９を介して、車両が走行状態ではない旨の信号を受信したので、図１５に示す、携帯端末１の第１表示部２のような、上下における所定のポイントとそれらの中間、及び、左右サイドの所定のポイントの操作を可能にしていることをユーザへ教示する操作ガイド画像ＳＴ１４を表示する。つまり、このような操作ガイド画像ＳＴ１４が携帯端末１の第１表示部２においてされるため、図１５に示すように、ユーザは、操作装置１００において、上下のスクロール操作と左右サイドの所定ポイントの操作が可能であることがわかる。
【０１０６】
なお、第１制御部６は、着信の際に、第１表示部２において、ドライバ側に電話を取る操作を受け付けるアイコンを表示し、かつ、助手席側に電話を切る操作を受け付けるアイコンを表示する。通話の際は、ドライバ側に電話を切る操作を受け付けるアイコンを表示し、かつ、助手席側に電話を取る操作を受け付けるアイコンを表示する。
【０１０７】
第６操作モード処理とは、第２制御部１０６が、携帯端末１から第２近距離無線通信部１０８を介して、通話機能に関連する画像においてユーザ指定によりコマンドが実行される位置データを予め受信しており、第２制御部１０６は、板状体１０１にかかる荷重位置、つまり、ユーザが板状体１０１を押した位置データのうち、予め受信していた位置データと合致する位置データのみを受け付けて、その合致した位置データを、第２近距離無線通信部１０８を介して、携帯端末１へ送信する。更に、第２制御部１０６は、ユーザが板状体１０１を押した位置データのうち連続して変化する位置データの送信を許可するとともに、合致する位置データであって、同一の位置データにおいて連続して荷重レベルが変化した場合にその位置データと荷重レベルデータの送信を許可する。
【０１０８】
この場合のコマンドとは、前述した通りであり、位置データが連続して変化する場合とは、前述した通りである。また、合致する位置データであって、同一の位置データにおいて連続して荷重レベルが変化する場合とは、前述した通りである。
【０１０９】
携帯端末１の第１制御部６は、操作装置１００から第１近距離無線通信部９を介して、受信した位置データが示す位置のコマンド、つまり、その位置と対応する通話関連のアイコンや項目が示す機能のコマンドを実行する。更に、第１制御部６は、その実行コマンドに関連する画像を生成して、生成した通話機能に関連する画像を、第１近距離無線通信部９を介して、制御装置１０００へ送信する。
【０１１０】
制御装置１０００の第３制御部１００１は、第３近距離無線通信部１００４を介して、受信した通話機能に関連する画像を、第２表示部１００３へ表示する。
【０１１１】
つまり、操作装置１００の第２制御部１０６は、車両が走行状態である場合は、通話機能に関連する画像において、連続操作の受付を禁止するとともに、車両が非走行状態である場合は、通話機能に関連する画像において、連続操作の受付を許可するため、ユーザは車両を運転している間は、通話機能に関連する画像において、詳細な操作ができない。結果、運転に対する集中力が低下せず、交通事故を発生させる虞は無くなる。また、ユーザは車両を運転しない間は、通話機能に関連する画像において、詳細な操作ができるため、ユーザの携帯端末に対する利便性を向上させることができる。
【０１１２】
次に、携帯連携システムｓ１において、通話機能のうちユーザ電話をかける機能（以降、通話機能Ｂと言う）を発揮させる処理を以降において説明する。
（通話機能Ｂ）
携帯連携システムｓ１において、ナビ機能や音楽再生機能を発揮している際に、携帯端末１へ着信があると、操作装置１００の第２制御部１０６は、図１６のフローチャートが示す制御の実行を開始するとともに、通話機能Ｂを発揮させる処理が終了するまで、所定の周期でこの制御を繰り返す。
【０１１３】
操作装置１００の第２制御部１０６は、図１４フローチャートのステップＳ３０において、車載ネットワークｎ２を介して、車速検知部１１、又は、変速段検知部１２から受信する信号に基づいて、車両が走行状態であるか否かを判断する。車両が走行状態であると判断する場合（ステップＳ３０においてＹｅｓの場合）は、ステップＳ３１へ移行し、車両が走行状態であると判断しない場合（ステップＳ３０においてＮｏの場合）は、ステップＳ３３へ移行する。
【０１１４】
なお、第２制御部１０６が走行状態であると判断する場合とは、車速検知部１１から受信する信号により、車速が０ｋｍ以上を示す場合である。又は、変速段検知部１２から受信する信号により、変速段がパーキング以外を示す場合である。
【０１１５】
ステップＳ３１において、操作装置１００の第２制御部１０６は、第２近距離無線通信部１０８を介して、車両が走行状態である旨の信号を携帯端末１へ送信する。次に、ステップＳ３２へ移行する。
【０１１６】
このとき、携帯端末１の第１制御部６は、第１近距離無線通信部９を介して、車両が走行状態である旨の信号を受信したので、図１７に示す、携帯端末１の第１表示部２、若しくは、携帯端末１の第１表示部２が、上下、左右の所定のポイントのみを操作可能にしていることをユーザへ教示する操作ガイド画像ＳＴ１８、及び、操作ガイド画像ＳＴ１９を表示する。つまり、このような操作ガイド画像ＳＴ１８、及び、操作ガイド画像ＳＴ１９が携帯端末１において表示されるため、ユーザは、操作装置１００において、アップ・ダウン側における所定のポイント、左右サイドにおける所定のポイントのみ操作可能であることがわかる。
【０１１７】
なお、第１制御部６は、ユーザが電話をかける際に、第１表示部２においてドライバ側に電話をかける操作を受け付けるアイコンを表示し、かつ、助手席側に電話を切る操作を受け付けるアイコンを表示する。通話の際は、ドライバ側に電話を切る操作を受け付けるアイコンを表示し、かつ、助手席側に電話をかける操作を受け付けるアイコンを表示する。
【０１１８】
更に、第１制御部６は、第１近距離無線通信部９を介して、制御装置１０００へ、通話機能に関連する画像を送信する。その通話機能に関連する画像とは、通常、携帯端末１の第１表示部２において表示する通話機能に関連する画像である。例えば、図１７に示す、電話帳リスト、着信履歴リスト、発信履歴リスト、電話帳リストを選択するメニュー画像を表示する画像ＳＴ１５、各履歴リストを表示する画像ＳＴ１６、発信状態や発信番号を表示する画像ＳＴ１７などの画像である。
【０１１９】
制御装置１０００の第３制御部１００１は、第３近距離無線通信部１００４を介して、受信した通話機能に関連する画像を第２表示部１００３において表示させる。つまり、通常、携帯端末１の第１表示部２において表示する通話機能に関連する画像を第２表示部１００３において表示させる。
【０１２０】
ステップＳ３２において、操作装置１００の第２制御部１０６は、第７操作モード処理を実行する。
【０１２１】
第７操作モード処理とは、第２制御部１０６が、携帯端末１から第２近距離無線通信部１０８を介して、携帯端末１においてユーザ指定によりコマンドが実行される位置データを予め受信しており、第２制御部１０６は、板状体１０１にかかる荷重位置、つまり、ユーザが板状体１０１を押した位置データのうち、予め受信していた位置データと合致する位置データのみを受け付けて、その合致した位置データを、第２近距離無線通信部１０８を介して、携帯端末１へ送信する。更に、第２制御部１０６は、その予め受信した位置データとユーザが板状体１０１を押した位置データとが合致する位置データのうち、連続して変化する位置データの送信を制限する。
【０１２２】
この場合の、携帯端末１においてユーザ指定により実行されるコマンドとは、板状体１０１において通話機能に関連する画像に対応する位置へ荷重がかかると、つまり、ユーザがその位置を押すと、押された位置に対応する通話機能に関連する画像のアイコンや項目が示す機能を実行するコマンドであり、位置データが連続して変化する場合とは、音出力、電話帳リストの内容、各履歴アドレスなどの項目がスクロール操作される場合である。
【０１２３】
このとき、携帯端末１の第１制御部６は、操作装置１００から第１近距離無線通信部９を介して、受信した位置データが示す位置のコマンド、つまり、その位置と対応する通話機能関連のアイコンや項目が示す機能のコマンドを実行する。更に、第１制御部６は、その実行コマンドに関連する画像を生成して、通話機能に関連する画像を、第１近距離無線通信部９を介して、制御装置１０００へ送信する。
【０１２４】
制御装置１０００の第３制御部１００１は、第３近距離無線通信部１００４を介して、受信した通話機能に関連する画像を、第２表示部１００３へ表示する。
【０１２５】
ステップＳ３３において、操作装置１００の第２制御部１０６は、第２近距離無線通信部１０８を介して、携帯端末１へ車両が走行状態ではない非走行状態である旨を送信する。次に、ステップＳ３４へ移行する。
【０１２６】
ステップＳ３４において、操作装置１００の第２制御部１０６は、第８操作モード処理を実行する。
【０１２７】
このとき、携帯端末１の第１制御部６は、第１近距離無線通信部９を介して、車両が走行状態ではない旨の信号を受信したので、図１７に示すように、第１表示部２において、上下における所定のポイント、及び、それらの中間の操作を可能にしていることをユーザへ教示する操作ガイド画像ＳＴ２０、及び、操作ガイド画像ＳＴ２１を表示する。つまり、このような操作ガイド画像ＳＴ２０、及び、操作ガイド画像ＳＴ２１が携帯端末１においてされるため、図１７に示すように、ユーザは、操作装置１００において、スクロール操作が可能であることがわかる。
【０１２８】
なお、第１制御部６は、ユーザが電話をかける際に、第１表示部２においてドライバ側に電話を取る操作を受け付けるアイコンを表示し、かつ、助手席側に電話を切る操作を受け付けるアイコンを表示する。通話の際は、ドライバ側に電話を切る操作を受け付けるアイコンを表示し、かつ、助手席側に電話を取る操作を受け付けるアイコンを表示する。
【０１２９】
第８操作モード処理とは、第２制御部１０６が、携帯端末１から第２近距離無線通信部１０８を介して、通話機能に関連する画像においてユーザ指定によりコマンドが実行される位置データを予め受信しており、第２制御部１０６は、板状体１０１にかかる荷重位置、つまり、ユーザが板状体１０１を押した位置データのうち、予め受信していた位置データと合致する位置データのみを受け付けて、その合致した位置データを、第２近距離無線通信部１０８を介して、携帯端末１へ送信する。更に、第２制御部１０６は、ユーザが板状体１０１を押した位置データのうち連続して変化する位置データの送信を許可する。
【０１３０】
この場合のコマンドとは、前述した通りであり、位置データが連続して変化する場合とは、前述した通りである。
【０１３１】
携帯端末１の第１制御部６は、操作装置１００から第１近距離無線通信部９を介して、受信した位置データが示す位置のコマンド、つまり、その位置と対応する通話関連のアイコンや項目が示す機能のコマンドを実行する。更に、第１制御部６は、その実行コマンドに関連する画像を生成して、生成した通話機能に関連する画像を、第１近距離無線通信部９を介して、制御装置１０００へ送信する。
【０１３２】
制御装置１０００の第３制御部１００１は、第３近距離無線通信部１００４を介して、受信した通話機能に関連する画像を、第２表示部１００３へ表示する。
【０１３３】
つまり、操作装置１００の第２制御部１０６は、車両が走行状態である場合は、通話機能に関連する画像において、連続操作の受付を禁止するとともに、車両が非走行状態である場合は、通話機能に関連する画像において、連続操作の受付を許可するため、ユーザは車両を運転している間は、通話機能に関連する画像において、詳細な操作ができない。結果、運転に対する集中力が低下せず、交通事故を発生させる虞は無くなる。また、ユーザは車両を運転しない間は、通話機能に関連する画像において、詳細な操作ができるため、ユーザの携帯端末に対する利便性を向上させることができる。
【０１３４】
次に、携帯連携システムｓ１において、ユーザが電子メール通信機能のうち電子メールを受信する機能を発揮させる処理を以降において説明する。
（電子メール通信機能）
携帯連携システムｓ１において、ナビ機能や音楽再生機能を発揮している際に、携帯端末１へ電子メールの着信があると、操作装置１００の第２制御部１０６は、図１８のフローチャートが示す制御の実行を開始するとともに、電子メール通信機能を発揮させる処理が終了するまで、所定の周期でこの制御を繰り返す。
【０１３５】
操作装置１００の第２制御部１０６は、図１８フローチャートのステップＳ４０において、車載ネットワークｎ２を介して、車速検知部１１、又は、変速段検知部１２から受信する信号に基づいて、車両が走行状態であるか否かを判断する。車両が走行状態であると判断する場合（ステップＳ４０においてＹｅｓの場合）は、ステップＳ４１へ移行し、車両が走行状態であると判断しない場合（ステップＳ４０においてＮｏの場合）は、ステップＳ４３へ移行する。
【０１３６】
なお、第２制御部１０６が走行状態であると判断する場合とは、車速検知部１１から受信する信号により、車速が０ｋｍ以上を示す場合である。又は、変速段検知部１２から受信する信号により、変速段がパーキング以外を示す場合である。
【０１３７】
ステップＳ４１において、操作装置１００の第２制御部１０６は、第２近距離無線通信部１０８を介して、車両が走行状態である旨の信号を携帯端末１へ送信する。次に、ステップＳ４２へ移行する。
【０１３８】
このとき、携帯端末１の第１制御部６は、第１近距離無線通信部９を介して、車両が走行状態である旨の信号を受信したので、図１９に示すように、第１表示部２において、上下、及び、左右の所定のポイントのみを操作可能にしていることをユーザへ教示する操作ガイド画像ＳＴ２６を表示する。つまり、このような操作ガイド画像ＳＴ２６が携帯端末１において表示されるため、ユーザは、操作装置１００において、アップ・ダウン側における所定のポイント、左右サイドにおける所定のポイントのみ操作可能であることがわかる。
【０１３９】
なお、第１制御部６は、電子メールを着信した際に、第１表示部２においてドライバ側に、電子メールを読み上げる操作を受け付けるアイコンを表示し、かつ、助手席側に、電子メールの読み上げを停止させる操作を受け付けるアイコンを表示する。通話の際は、電子メールの読み上げを停止させる操作を受け付けるアイコンをドライバ側表示し、かつ、助手席側に、電子メールを読み上げる操作を受け付けるアイコンを表示する。
【０１４０】
更に、第１制御部６は、第１近距離無線通信部９を介して、制御装置１０００へ、電子メール通信機能に関連する画像を送信する。その電子メール通信機能に関連する画像とは、通常、携帯端末１の第１表示部２において表示する電子メール通信機能に関連する画像である。例えば、電子メールの着信通知を表示する画像ＳＴ２２、差出人、宛先、件名、着信日時を表示する画像ＳＴ２３、受信ボックスを表示する画像ＳＴ２４、本文を表示する画像ＳＴ２５などの画像である。
【０１４１】
制御装置１０００の第３制御部１００１は、第３近距離無線通信部１００４を介して、受信した電子メール通信機能に関連する画像を第２表示部１００３において表示させる。つまり、通常、携帯端末１の第１表示部２において表示する電子メール通信機能に関連する画像を第２表示部１００３において表示させる。
【０１４２】
ステップＳ４２において、操作装置１００の第２制御部１０６は、第９操作モード処理を実行する。
【０１４３】
第９操作モード処理とは、第２制御部１０６が、携帯端末１から第２近距離無線通信部１０８を介して、携帯端末１においてユーザ指定によりコマンドが実行される位置データを予め受信しており、第２制御部１０６は、板状体１０１にかかる荷重位置、つまり、ユーザが板状体１０１を押した位置データのうち、予め受信していた位置データと合致する位置データのみを受け付けて、その合致した位置データを、第２近距離無線通信部１０８を介して、携帯端末１へ送信する。更に、第２制御部１０６は、その予め受信した位置データとユーザが板状体１０１を押した位置データとが合致する位置データのうち、連続して変化する位置データの送信を制限するとともに、合致する位置データであって、同一の位置データにおいて連続して荷重レベルが変化した場合にその位置データと荷重レベルデータの送信を制限する。
【０１４４】
この場合の、携帯端末１においてユーザ指定により実行されるコマンドとは、板状体１０１において電子メール通信機能に関連する画像に対応する位置へ荷重がかかると、つまり、ユーザがその位置を押すと、押された位置に対応するアイコンや項目が示す電子メール機能を実行するコマンドであり、位置データが連続して変化する場合とは、電子メールの本文を上下にスクロール操作させる場合である。また、合致する位置データであって、同一の位置データにおいて連続して荷重レベルが変化する場合とは、電子メールを拡大させるアイコン位置において、荷重レベルに応じて拡大レベルが増加操作される場合であり、電子メールを縮小させるアイコン位置において、荷重レベルに応じて縮小レベルが増加操作される場合である。
【０１４５】
このとき、携帯端末１の第１制御部６は、操作装置１００から第１近距離無線通信部９を介して、受信した位置データが示す位置のコマンド、つまり、その位置と対応するアイコンや項目のコマンドを実行する。更に、第１制御部６は、その実行コマンドに関連する画像を生成して、その関連画像を、第１近距離無線通信部９を介して、制御装置１０００へ送信する。
【０１４６】
制御装置１０００の第３制御部１００１は、第３近距離無線通信部１００４を介して、受信した通話機能に関連する画像を、第２表示部１００３へ表示する。
【０１４７】
ステップＳ４３において、操作装置１００の第２制御部１０６は、第２近距離無線通信部１０８を介して、携帯端末１へ車両が走行状態ではない非走行状態である旨を送信する。次に、ステップＳ４４へ移行する。
【０１４８】
ステップＳ４４において、操作装置１００の第２制御部１０６は、第１０操作モード処理を実行する。
【０１４９】
このとき、携帯端末１の第１制御部６は、第１近距離無線通信部９を介して、車両が走行状態ではない旨の信号を受信したので、図１９に示すように、第１表示部２において、上下における所定のポイントとそれらの中間、及び、左右の所定のポイントを操作可能にしていることをユーザへ教示する操作ガイド画像ＳＴ２７を表示する。つまり、このような操作ガイド画像ＳＴ２７が携帯端末１においてされるため、図１９に示すように、ユーザは、操作装置１００において、スクロール操作が可能であることがわかる。
【０１５０】
なお、第１制御部６は、電子メールを着信した際に、ドライバ側に電子メールの読み上げ操作を受け付けるアイコンを表示し、かつ、助手席側に電子メールの読み上げを停止する操作を受け付けるアイコンを表示する。通話の際は、ドライバ側に電子メールの読み上げを停止する操作を受け付けるアイコンを表示し、かつ、助手席側に電子メールの読み上げ操作を受け付けるアイコンを表示する。
【０１５１】
第１０操作モード処理とは、第２制御部１０６が、携帯端末１から第２近距離無線通信部１０８を介して、電子メール通信機能に関連する画像においてユーザ指定によりコマンドが実行される位置データを予め受信しており、第２制御部１０６は、板状体１０１にかかる荷重位置、つまり、ユーザが板状体１０１を押した位置データのうち、予め受信していた位置データと合致する位置データのみを受け付けて、その合致した位置データを、第２近距離無線通信部１０８を介して、携帯端末１へ送信する。更に、第２制御部１０６は、ユーザが板状体１０１を押した位置データのうち連続して変化する位置データの送信を許可する。また、ユーザが板状体１０１を押した位置データにおける荷重レベルデータのうち連続して変化する位置データの送信を許可する。
【０１５２】
この場合のコマンドとは、前述した通りであり、位置データが連続して変化する場合とは、前述した通りである。また、合致する位置データであって、同一の位置データにおいて連続して荷重レベルが変化する場合とは、前述した通りである。
【０１５３】
携帯端末１の第１制御部６は、操作装置１００から第１近距離無線通信部９を介して、受信した位置データが示す位置のコマンド、つまり、その位置と対応する電子メール通信機能に関連する画像関連項目のコマンドを実行する。更に、第１制御部６は、その実行コマンドに関連する画像を生成して、この関連画像を、第１近距離無線通信部９を介して、制御装置１０００へ送信する。
【０１５４】
制御装置１０００の第３制御部１００１は、第３近距離無線通信部１００４を介して、受信した電子メール通信機能に関連する画像を、第２表示部１００３へ表示する。
【０１５５】
つまり、操作装置１００の第２制御部１０６は、車両が走行状態である場合は、電子メール通信機能に関連する画像において、連続操作の受付を禁止するとともに、車両が非走行状態である場合は、通話機能に関連する画像において、連続操作の受付を許可するため、ユーザは車両を運転している間は、電子メール通信機能に関連する画像において、詳細な操作ができない。結果、運転に対する集中力が低下せず、交通事故を発生させる虞は無くなる。また、ユーザは車両を運転しない間は、電子メール通信機能に関連する画像において、詳細な操作ができるため、ユーザの携帯端末に対する利便性を向上させることができる。
【０１５６】
＜変形例＞
以上、本発明の実施の形態について説明してきたが、この発明は上記実施の形態に限定されるものではなく様々な変形が可能である。以下では他の実施の形態について説明する。もちろん、以下で説明する形態を適宜組み合わせても良い。
【０１５７】
＜変形例１＞
上記代表の実施の形態における携帯端末１は、スマートフォンと称される携帯端末であると説明したが、第１表示部２Ｘと操作部５Ｘとが別に構成される携帯端末１Ｘであっても良い。携帯端末１Ｘも、通話機能、電子メール通信機能、音楽再生機能、及び、ナビゲーション機能など、種々の機能を搭載する、高機能携帯端末である。
【０１５８】
この携帯端末１Ｘの外形を図２０に基づいて説明する。携帯端末１Ｘは、第１表示部２Ｘ、並びに、操作部５Ｘ、通話機能を発揮する際に通話相手の声を出力する受話部３Ｘ、及び、通話機能を発揮する際に通話相手へ送信する声を入力する送話部４Ｘなどによって構成されている。なお、携帯端末１Ｘの構成については携帯端末１と略同じである。
【０１５９】
＜変形例２＞
上記代表の実施形態における、携帯連携システムｓ１において、携帯端末１、操作装置１００、及び、制御装置１０００が相互に通信する方法は、近距離無線通信であると説明したが、有線などの他の通信方法であっても良い。
【０１６０】
＜変形例３＞
上記代表の実施の形態における、「操作装置１００の第２制御部１０６が実行する第１操作モード、第３操作モード、第５操作モード、第７操作モード、及び、第９操作モードにおいて、第２制御部１０６が、携帯端末１から第２近距離無線通信部１０８を介して、携帯端末１においてユーザ指定によりコマンドが実行される位置データを予め受信しており、第２制御部１０６は、板状体１０１にかかる荷重位置、つまり、ユーザが板状体１０１を押した位置データのうち、予め受信していた位置データと合致する位置データのみを受け付けて、その合致した位置データを、第２近距離無線通信部１０８を介して、携帯端末１へ送信する。更に、第２制御部１０６は、その予め受信した位置データとユーザが板状体１０１を押した位置データとが合致する位置データのうち、連続して変化する位置データの送信を制限する。更に、操作装置１００の第２制御部１０６が実行する第２操作モード、第４操作モード、第６操作モード、第８操作モード、及び、第１０操作モードにおいて、第２制御部１０６が、携帯端末１から第２近距離無線通信部１０８を介して、案内画像においてユーザ指定によりコマンドが実行される位置データを予め受信しており、第２制御部１０６は、板状体１０１にかかる荷重位置、つまり、ユーザが板状体１０１を押した位置データのうち、予め受信していた位置データと合致する位置データのみを受け付けて、その合致した位置データを、第２近距離無線通信部１０８を介して、携帯端末１へ送信する。更に、第２制御部１０６は、ユーザが板状体１０１を押した位置データのうち連続して変化する位置データの送信を許可する」と説明したが、操作装置１００から車両の走行状態、及び、ユーザが板状体１０１押した位置データを受信した携帯端末１の第１制御部６が、車両の走行状態に応じて、ユーザ操作を受け付けるものであってもよい。
【０１６１】
つまり、携帯端末１の第１制御部６は、車両が走行状態である旨の信号を、第１近距離無線通信部９を介して、受信した場合は、受信する位置データのうち連続して変化する位置データに基づくコマンドの実行を制限する。また、第１制御部６は、車両が非走行状態である旨の信号を、第１近距離無線通信部９を介して、受信した場合は、受信する位置データのうち連続して変化する位置データに基づくコマンドの実行を許可する。
【０１６２】
＜変形例４＞
上記代表の実施の形態おける発明は、携帯端末１、操作装置１００、及び、制御装置１０００から構成される携帯連携システムｓ１により実現されると説明したが、制御装置１０００を省略した、携帯端末１、及び、操作装置１００から構成される操作システムｓ２のみにより実現されるものであっても良い。
【０１６３】
つまり、センタークラスターｓ２の中央に、着脱可能な携帯端末１を車両内側方向へその第１表示部２が向くように装着した状態で、上記代表の実施形態と同様の機能を発揮させる。その際には、携帯端末１の第１表示部２に表示されていた操作ガイドは省略され、通常、携帯端末１の第１表示部２に表示されるメニューなどのコンテンツが表示される。
【０１６４】
＜変形例５＞
上記代表の実施の形態における発明は、操作装置１００が、センターコンソールｃ１の後方（車両進行方向と逆）に設置された変速装置の近傍に備えられると説明したが、車両の運転席側のドアのパワーウィンドウなどの操作ボタンが設置されている付近に備えられても良い。
【０１６５】
また、操作装置１００が上記代表の実施の形態で説明したものよりも小型化させて、ステアリングに一体化させて備えても良い。
【０１６６】
＜変形例６＞
上記代表の実施形態における発明は、制御装置１０００は、車両のフロントウィンドウ下にあるダッシュボードの左右略中央の部位であるセンタークラスターｃ２の中央に備えられると説明したが、その位置よりもフロントウィンドウ側に、つまり、運転席を基点に奥に位置しても良い。
【０１６７】
＜変形例７＞
また、上記代表の実施の形態では、プログラムに従ったＣＰＵの演算処理によってソフトウェア的に各種の機能が実現されると説明したが、これら機能のうちの一部は電気的なハードウェア回路により実現されても良い。また逆に、ハードウェア回路によって実現されるとした機能のうちの一部は、ソフトウェア的に実現されても良い。
【０１６８】
更に、各実施例の制御を説明するフローチャート図における各処理は、便宜上一の系列で示しているが、細分化された各処理を各制御部がマルチタスク制御機能により並列に処理するものであっても良い。
【符号の説明】
【０１６９】
ｓ１    携帯連携システム
ｓ２    操作システム
１    携帯端末
２    表示部
６    制御部
９    近距離無線通信部
１１    車速検知部
１２    変速段検知部
１００    操作装置
１０１    板状体
１０２    荷重検知部
１０３    荷重検知部
１０４    荷重検知部
１０５    荷重検知部
１０６    制御部
１０８    近距離無線通信部
１０００    制御装置
１００１    制御部
１００３    表示部
１００４    近距離無線通信部
【図１】
2011203982.tif 000003
【図２】
2011203982.tif 000004
【図３】
2011203982.tif 000005
【図４】
2011203982.tif 000006
【図５】
2011203982.tif 000007
【図６】
2011203982.tif 000008
【図７】
2011203982.tif 000009
【図８】
2011203982.tif 000010
【図９】
2011203982.tif 000011
【図１０】
2011203982.tif 000012
【図１１】
2011203982.tif 000013
【図１２】
2011203982.tif 000014
【図１３】
2011203982.tif 000015
【図１４】
2011203982.tif 000016
【図１５】
2011203982.tif 000017
【図１６】
2011203982.tif 000018
【図１７】
2011203982.tif 000019
【図１８】
2011203982.tif 000020
【図１９】
2011203982.tif 000021
【図２０】
2011203982.tif 000022
【図２１】
2011203982.tif 000023